(57)【要約】【課題】  数値を書き込むための升目が予め印刷されているような帳票等への転記を考慮した表示形態で表示可能とする。【解決手段】  複数の日文字セグメントからなる表示装置であって、３桁区切りの表示に関し、日文字セグメントと日文字セグメントとの間に３桁区切りの表示である３分割された区切りセグメント２ｂが設けられ、この区切りセグメント２ｂの表示形状を切り換えるセグメント形状切換スイッチが設けられており、例えばセグメント形状切換スイッチの位置が変形「有り」の場合で、表示例が「１，２３４，５６７，８９８．」の１０桁である場合には、Ｓ＋９桁目の右に、３本の分割セグメント２ｂ１〜２ｂ３を全て表示し、Ｓ＋６桁目の右に、下から２本の分割セグメント２ｂ１，２ｂ２を表示し、Ｓ＋３桁目の右に、下から１本の分割セグメント２ｂ１を表示して、３桁区切りの表示とする（図６（ａ））。【選択図】  図６
2005107391.tif 000002
【特許請求の範囲】
【請求項１】
複数の日文字セグメントからなる電子機器の表示装置において、
３桁区切りの表示に関し、この３桁区切りの表示が日文字セグメントと日文字セグメントとの間に設けられるとともに、前記３桁区切りの表示桁数に応じて、前記３桁区切りの表示形態を切り換え可能な表示形態切換スイッチが設けられていることを特徴とする表示装置。
【請求項２】
線状のセグメントが日文字セグメントと日文字セグメントとの間に設けられ、この線状セグメントの表示長さを異ならせることによって前記３桁区切りの各桁の表示を行なうことを特徴とする請求項１に記載の表示装置。
【請求項３】
表示されている前記線状セグメントを点滅表示させて前記３桁区切りの表示を行なうことを特徴とする請求項２に記載の表示装置。
【請求項４】
複数の日文字セグメントからなる電子機器の表示装置において、
３桁区切りの表示に関し、この３桁区切りの区切り位置に相当する日文字セグメント部分を点滅表示させることによって３桁区切りの表示を行なうことを特徴とする表示装置。
【発明の詳細な説明】
【技術分野】
【０００１】
本発明は、複数の日文字セグメントからなる電子機器等の表示装置に係り、特に、帳票などの升目を予め印刷しているものへの転記を考慮した３桁区切りの表示を行う表示装置に関する。
【背景技術】
【０００２】
複数の表示セグメントからなる電子機器等の表示装置において、表示の見易さを実現するための種々の手法が提案されている。
【０００３】
例えば、４桁表示可能な表示器において、２桁目と３桁目の間に固定の区切り表示を行う単一セグメントを配置することにより、４桁表示と２桁表示とを区別して見易くしたものがある（例えば、特許文献１参照）。
【０００４】
また、3桁毎に１桁分のスペースを取り、数値表示部にカンマを表示することによって読み易さを実現したものもある（例えば、特許文献２参照）。
【０００５】
さらに、分数表示用の区切り記号用セグメントを設けることにより、分子と分母の区切り、及び帯分数では数値と分子との区切りを見易くしたものもある（例えば、特許文献３参照）。
【特許文献１】特開平４−１１１２８７号公報
【特許文献２】特開平４−１２３１２５号公報
【特許文献３】特開平６−１８７２９１号公報
【発明の開示】
【発明が解決しようとする課題】
【０００６】
このように、従来の表示装置では、それぞれの用途に応じて表示形態がそれぞれに工夫されている。しかしながら、桁数を自動的に計算し、数値の単位に応じて区切り位置を変化させ、表示できるような表示装置は現在までのところ提案されていない。
【０００７】
すなわち、上記特許文献１では、表示を区切る単一セグメントは配置されているものの、桁数を自動的に計算し、数値の単位に応じて区切り位置を変化させて表示することはできなかった。
【０００８】
また、上記特許文献２では、３桁区切りを示すものは“，”（カンマ）のみであり、セグメントによって３桁区切りを表示し、かつ点滅表示や桁数によって表示内容を変形することはできなかった。
【０００９】
また、上記特許文献３では、分子と分母の区切りや帯分数での数値と分子との区切りを区切り記号用セグメントで行っているが、多桁の整数を読み易くするための３桁区切りにセグメントを使用することはできなかった。
【００１０】
つまり、金融関係や一般の帳票にあるような、予め升目が設けられている数値枠への転記を考慮した表示を行う表示装置は現在のところ提案されていないのが実情である。
【００１１】
本発明は係る実情に鑑みて創案されたもので、その目的は、数値を書き込むための升目が予め印刷されているような帳票等への転記を考慮した表示装置を提供することにある。
【課題を解決するための手段】
【００１２】
本発明の表示装置は、複数の日文字セグメントからなる電子機器の表示装置において、３桁区切りの表示に関し、この３桁区切りの表示が日文字セグメントと日文字セグメントとの間に設けられるとともに、前記３桁区切りの表示桁数に応じて、前記３桁区切りの表示形態を切り換え可能な表示形態切換スイッチが設けられていることを特徴としている。
【００１３】
この場合、３桁区切りの表示形態としては、線状のセグメントを日文字セグメントと日文字セグメントとの間に設けておき、この線状セグメントの表示長さを異ならせることによって前記３桁区切りの各桁の表示を行なうように構成することが可能である。
【００１４】
具体的には、線状セグメントを上下方向に３分割し、３桁目の最初の区切りでは、例えば最下部の１本の分割セグメントのみを表示し、６桁目の２つ目の区切りでは、最下部と中央部の２本の分割セグメントを表示し、９桁目の３つ目の区切りでは、全部の分割セグメントを表示する。このようにそれぞれの桁で長さを異ならせることで、ユーザにとっては桁上がりや桁下がり等が非常に見易くなる。
【００１５】
この場合、表示されている前記線状セグメントをさらに点滅表示させて３桁区切りの表示を行なうようにしてもよい。
【００１６】
このように点滅表示することで、その位置のセグメントが３桁区切りの表示セグメントであることを容易に認識することができ、例えば数字の１と見間違えるといった誤認識を防止することができる。
【００１７】
また、本発明の表示装置は、複数の日文字セグメントからなる電子機器の表示装置において、３桁区切りの表示に関し、この３桁区切りの区切り位置に相当する日文字セグメント部分を点滅表示させることによって３桁区切りの表示を行なうことを特徴としている。このように、３桁区切りの例えば上位側に位置する日文字セグメント部分、すなわち表示数字自体を点滅表示することで、ユーザは、その点滅位置の数字が３桁の区切りの数値であると認識することができる。また、この発明によれば、日文字セグメントと日文字セグメントとの間に３桁区切りを表示するためのスペースを必要としないので、表示装置全体の小型化も可能となる。
【発明の効果】
【００１８】
本発明の表示装置によれば、数値を書き込むための升目が予め印刷されているような帳票等への転記を考慮した表示を行うことができる。そのため、そのような帳票等への転記を誤りなく確実に行うことができる。
【発明を実施するための最良の形態】
【００１９】
以下、本発明の実施の形態について、図面を参照して説明する。
【００２０】
図１は、本発明の表示装置を搭載した電子機器（電卓）の全体図を示しており、装置本体１の上部に、１０桁からなる日文字セグメントの表示器２が設けられており、下部にテンキーや各種機能キー等からなるキーボード部３が設けられている。表示器２は、本実施形態では液晶表示（ＬＣＤ）となっており、図中２ａで示す「．」は小数点、２ｂで示す縦棒は３桁区切りの表示である区切りセグメント(線状セグメント)である。この区切りセグメント２ｂは、後述するが、上下方向に３分割されており、各分割セグメント２ｂ１〜２ｂ３ごとに表示可能となっている。
【００２１】
また、表示器２の下部とキーボード部３の上部との間に、３桁区切りの表示である区切りセグメント２ｂの点灯または点滅を切り換えるセグメント点滅切換スイッチ３ａと、区切りセグメント２ｂの表示形状を切り換えるセグメント形状切換スイッチ３ｂとが設けられている。これらセグメント点滅切換スイッチ３ａ及びセグメント形状切換スイッチ３ｂは、本実施形態ではいずれもスライドスイッチとなっているが、スライドスイッチ構造に限定されるものではない。
【００２２】
図２は、上記構成の電子機器のシステムブロック図を示している。
【００２３】
この電子機器は、ＣＰＵ１１、ＲＯＭ１２、ＲＡＭ１３、キーボード部３、セグメント点滅切換スイッチ３ａ、セグメント形状切換スイッチ３ｂ、及び表示器２の表示を制御する表示制御器１４を備えている。また、表示制御器１４は、セグメント点滅切換スイッチ３ａの切り換え操作に応じて３桁区切りの表示状態を点灯または点滅のいずれかの状態に切り換え表示するセグメント点滅切換制御部１４ａ、及びセグメント形状切換スイッチ３ｂの切り換え操作に応じて区切りセグメント２ｂの表示形状を切り換えて表示するセグメント形状切換制御部１４ｂを備えている。
【００２４】
ＣＰＵ１１は、キーボード３、セグメント点滅切換スイッチ３ａ及びセグメント形状切換スイッチ３ｂからの各種キーの読み込み処理、表示処理、演算処理など電子機器の備える機能の制御を行う。ＲＯＭ１２は、ＣＰＵ１１で行う上記各処理を実行するためのプログラムや表示用のＣＧ等を記憶している。ＲＡＭ１３は、各種フラグやデータを格納するとともに、上記処理を実行するときにはワークエリアとして動作する部分である。
【００２５】
＜実施形態１＞
次に、上記構成の電子機器において、３桁区切りの区切りセグメント２ｂの点灯または点滅表示の切り換え処理と、区切りセグメント２ｂの表示形状の切り換え処理についての実施形態１について、図３に示すフローチャート、及び図４ないし図７に示す表示例を参照して説明する。
【００２６】
ＬＣＤ表示では、まず、ステップＳ１において、小数点位置を変数Ｓに入れ、次のステップＳ２において、整数部の表示桁数を変数Ｋに入れる。例えば、「１０．２」という数字であれば、Ｓには「２」、Ｋには「２」が入る。
【００２７】
次に、ステップＳ３において、数字（マイナス記号、小数点を含む）を表示する。
【００２８】
次に、ステップＳ４において、変数Ｋが４以上かどうかを判定する。その結果、４未満であれば、ＬＣＤ表示は終了する。変数Ｋが４未満である場合、例えば、表示例が「１２３」である場合の表示例を図４（ａ）に示す。この場合には、区切りセグメント２ｂは表示されていない。
【００２９】
一方、変数Ｋが４以上である場合にはステップＳ５に進み、まず、セグメント形状切換スイッチ３ｂの位置を判定する。その結果、スイッチの位置が変形「有り」になっている場合には、ステップＳ６に進み、変形「無し」になっている場合には、ステップＳ７に進む。
【００３０】
変形「有り」の場合のステップＳ６では、Ｓ＋３桁目の右に、下から１本のみ分割セグメント２ｂ１を表示し、変形「無し」の場合のステップＳ７では、Ｓ＋３桁目の右に、３本全ての分割セグメント２ｂ１〜２ｂ３（すなわち、区切りセグメント２ｂの全体）を表示する。例えば、表示例が「１，２３４．」である場合、変形「有り」の場合のステップＳ６の表示例を図４（ｂ）に、変形「無し」の場合のステップＳ７の表示例を図４（ｃ）にそれぞれ示す。
【００３１】
この後、次のステップＳ８において、セグメント点滅切換スイッチ３ａの位置を判定する。その結果、セグメント点滅切換スイッチ３ａの位置が点滅「有り」の場合にはステップＳ９に進む。ステップＳ９では、Ｓ＋３桁目の右の区切りセグメント２ｂを点滅する。例えば、表示例が「１，２３４．」である場合、点滅「有り」の場合のステップＳ９の表示例を図４（ｄ），（ｅ）に示す。ただし、図４（ｄ）は、変形「有り」の場合のステップＳ６での表示例（図４（ｂ））において分割セグメント２ｂ１を点滅させている状態を示しており、図４（ｅ）は、変形「無し」の場合のステップＳ７での表示例（図４（ｃ））において区切りセグメント２ｂ全体を点滅させている状態を示している。なお、図中において、点滅状態を放射状に広がった３本線で表現している。
【００３２】
次に、ステップＳ１０において、変数Ｋが７以上かどうかを判定し、７未満であればＬＣＤ表示は終了する。一方、変数Ｋが７以上である場合にはステップＳ１１に進み、まず、セグメント形状切換スイッチ３ｂの位置を判定する。その結果、スイッチの位置が変形「有り」になっている場合には、ステップＳ１２に進み、変形「無し」になっている場合には、ステップＳ１３に進む。
【００３３】
変形「有り」の場合のステップＳ１２では、Ｓ＋６桁目の右に、下から２本の分割セグメント２ｂ１，２ｂ２を表示し、Ｓ＋３桁目の右に、下から１本の分割セグメント２ｂ１を表示する。また、変形「無し」の場合のステップＳ１３では、Ｓ＋６桁目の右、及びＳ＋３桁目の右の両方に、３本全ての分割セグメント２ｂ１〜２ｂ３（すなわち、区切りセグメント２ｂの全体）をそれぞれ表示する。例えば、表示例が「１，２３４，５６７．」である場合、変形「有り」の場合のステップＳ１２の表示例を図５（ａ）に、変形「無し」の場合のステップＳ１３の表示例を図５（ｂ）にそれぞれ示す。
【００３４】
この後、次のステップＳ１４において、セグメント点滅切換スイッチ３ａの位置を判定する。その結果、セグメント点滅切換スイッチ３ａの位置が点滅「有り」の場合にはステップＳ１５に進む。ステップＳ１５では、Ｓ＋６桁目の右の区切りセグメント２ｂと、Ｓ＋３桁目の右の区切りセグメント２ｂの両方を点滅する。例えば、表示例が「１，２３４，５６７．」である場合、点滅「有り」の場合のステップＳ１５の表示例を図５（ｃ），（ｄ）に示す。ただし、図５（ｃ）は、変形「有り」の場合のステップＳ１２での表示例（図５（ａ））において、Ｓ＋６桁目の右に表示されている下から２本の分割セグメント２ｂ１，２ｂ２、及びＳ＋３桁目の右に表示されている下から１本の分割セグメント２ｂ１の両方を点滅させている状態を示しており、図５（ｄ）は、変形「無し」の場合のステップＳ１３での表示例（図５（ｂ））において、Ｓ＋６桁目の右に表示されている区切りセグメント２ｂ、及びＳ＋３桁目の右に表示されている区切りセグメント２ｂの両方を点滅させている状態を示している。なお、図中において、点滅状態を放射状に広がった３本線で表現している。
【００３５】
この後、次のステップＳ１６において、変数Ｋが１０以上かどうかを判定し、１０未満であればＬＣＤ表示は終了する。一方、変数Ｋが１０以上である場合にはステップＳ１７に進み、Ｓ＋９桁目の右に区切りセグメント２ｂを表示する。この場合、セグメント形状切換スイッチ３ｂの位置が変形「有り」の場合には、Ｓ＋９桁目の右に、３本の分割セグメント２ｂ１〜２ｂ３を表示し、Ｓ＋６桁目の右に、下から２本の分割セグメント２ｂ１，２ｂ２を表示し、Ｓ＋３桁目の右に、下から１本の分割セグメント２ｂ１を表示する。また、セグメント形状切換スイッチ３ｂの位置が変形「無し」の場合には、Ｓ＋９桁目の右、Ｓ＋６桁目の右、及びＳ＋３桁目の右に、３本の分割セグメント２ｂ１〜２ｂ３（すなわち、区切りセグメント２ｂの全体）をそれぞれ表示する。例えば、表示例が「１，２３４，５６７，８９８．」である場合、変形「有り」の場合の表示例を図６（ａ）に、変形「無し」の場合の表示例を図６（ｂ）にそれぞれ示す。
【００３６】
この後、次のステップＳ１８において、セグメント点滅切換スイッチ３ａの位置を判定する。その結果、セグメント点滅切換スイッチ３ａの位置が点滅「有り」の場合にはステップＳ１９に進む。ステップＳ１９では、Ｓ＋９桁目の右の区切りセグメント２ｂと、Ｓ＋６桁目の右の区切りセグメント２ｂと、Ｓ＋３桁目の右の区切りセグメント２ｂの全てを点滅する。例えば、表示例が「１，２３４，５６７，８９８．」である場合、点滅「有り」の場合の表示例を図６（ｃ），（ｄ）に示す。ただし、図６（ｃ）は、変形「有り」の場合の表示例（図６（ａ））において、Ｓ＋９桁目の右に表示されている３本の分割セグメント２ｂ１〜２ｂ３、Ｓ＋６桁目の右に表示されている下から２本の分割セグメント２ｂ１，２ｂ２、及びＳ＋３桁目の右に表示されている下から１本の分割セグメント２ｂ１の全てを点滅させている状態を示している。また、図６（ｄ）は、変形「無し」の場合の表示例（図６（ｂ））において、Ｓ＋９桁目の右に表示されている区切りセグメント２ｂ、Ｓ＋６桁目の右に表示されている区切りセグメント２ｂ、及びＳ＋３桁目の右に表示されている区切りセグメント２ｂの全てを点滅させている状態を示している。なお、図中において、点滅状態を放射状に広がった３本線で表現している。
【００３７】
因みに、図７（ａ）は、ＬＣＤ表示が全て点灯している場合のセグメントの表示状態を示している。また、図７（ｂ）は、セグメント点滅切換スイッチ３ａ及びセグメント形状切換スイッチ３ｂを共に「無し」にして、「１，２３４，５６７，８９８．」を表示させた場合の表示例を示しており、この例では、図６（ｂ）と異なり、各日文字セグメントを枠で囲って表示している。
【００３８】
＜実施形態２＞
図８は、３桁区切りを示す区切りセグメント２ｂの表示形状の切り換え処理の他の実施形態（実施形態２）を示している。
【００３９】
すなわち、図８（ａ）は、セグメント形状切換スイッチ３ｂの位置が変形「無し」の場合であって、分割セグメント２ｂ１〜２ｂ３の表示を、桁の低い方から順番に上から変形表示した場合を示している。すなわち、Ｓ＋３桁目の右に、上から１本の分割セグメント２ｂ３を表示し、Ｓ＋６桁目の右に、上から２本の分割セグメント２ｂ３，２ｂ２を表示し、Ｓ＋９桁目の右に、上から３本の分割セグメント２ｂ１〜２ｂ３（すなわち、区切りセグメント２ｂの全体）を表示している。
【００４０】
また、図８（ｂ）は、日文字セグメントが直角に交わるように表示させた場合で、セグメント点滅切換スイッチ３ａの位置を点滅「無し」、セグメント形状切換スイッチ３ｂの位置を変形「無し」にして、「１，２３４，５６７，８９８．」を表示させた場合の表示例である。このようにすると、数字とセグメントの識別がより明確になり、数字の読み易さが向上する。
【００４１】
なお、本実施形態２では、図８（ａ），（ｂ）に示すように、数字の表示部分を囲む形で枠を設けている。これは、銀行などの取引伝票には升目が設けられていることがあり、このように紙に記入したときの状態と同じような状態で表示することにより、ユーザは、実際に伝票等に数値を書き込むときの転記を誤りなく確実に行うことができる。
【００４２】
＜実施形態３＞
図９は、３桁区切りを示す区切りセグメント２ｂの表示形状の切り換え処理の他の実施形態（実施形態３）を示している。
【００４３】
本実施形態３では、３桁区切りとなる数字そのものを点滅させた場合を示しており、「１，２３４，５６７，８９８．」を表示させた場合の表示例である。
【００４４】
この例では、Ｓ＋９桁目の右側に位置する日文字セグメントの表示数字「１」と、Ｓ＋６桁目の右側に位置する日文字セグメントの表示数字「４」と、Ｓ＋３桁目の右側に位置する日文字セグメントの表示数字「７」とを点滅させている。このように、３桁区切りの例えば上位側に位置する日文字セグメントの表示数字自体を点滅表示することで、ユーザは、その点滅位置の数字が３桁の区切りの数字であると認識することができる。また、本実施形態３によれば、日文字セグメントと日文字セグメントとの間に３桁区切りを表示するためのスペースを必要としないので、表示装置全体の小型化も可能となる。
【図面の簡単な説明】
【００４５】
【図１】本発明の表示装置を搭載した電子機器（電卓）の全体構成を示す平面図である。
【図２】本発明の表示装置を搭載した電子機器のシステムブロック図である。
【図３】本発明の表示装置を搭載した電子機器において、３桁区切りの区切りセグメントの点灯または点滅表示の切り換え処理と、区切りセグメントの表示形状の切り換え処理とを説明するためのフローチャートである。
【図４】（ａ）〜（ｅ）は、セグメント点滅切換スイッチ及びセグメント形状切換スイッチの状態に対応した表示器の表示状態を示す説明図であり、４桁表示の場合を示している。
【図５】（ａ）〜（ｄ）は、セグメント点滅切換スイッチ及びセグメント形状切換スイッチの状態に対応した表示器の表示状態を示す説明図であり、７桁表示の場合を示している。
【図６】（ａ）〜（ｄ）は、セグメント点滅切換スイッチ及びセグメント形状切換スイッチの状態に対応した表示器の表示状態を示す説明図であり、１０桁表示の場合を示している。
【図７】（ａ）は、ＬＣＤ表示が全て点灯している場合のセグメントの表示内容を示す説明図、（ｂ）は、３桁区切りのセグメント点滅切換スイッチ及びセグメント形状切換スイッチを共に「無し」にして、「１，２３４，５６７，８９８．」を表示させた場合の表示例を示す説明図である。
【図８】（ａ），（ｂ）は、３桁区切りを示す区切りセグメントの表示形状の切り換え処理の他の実施形態（実施形態２）を示す説明図である。
【図９】３桁区切りを示す区切りセグメントの表示形状の切り換え処理の他の実施形態（実施形態３）を示す説明図である。
【符号の説明】
【００４６】
1  電子機器
２ａ  表示器
２ｂ  ３桁区切りセグメント
３  キーボード部
３ａ  セグメント点滅切換スイッチ
３ｂ  セグメント形状切換スイッチ（表示形態切換スイッチ）
１４  表示制御器
１４ａ  セグメント点滅切換制御部
１４ｂ  セグメント形状切換制御部
１１  ＣＰＵ
１２  ＲＯＭ
１３  ＲＡＭ
【図１】
2005107391.tif 000003
【図２】
2005107391.tif 000004
【図３】
2005107391.tif 000005
【図４】
2005107391.tif 000006
【図５】
2005107391.tif 000007
【図６】
2005107391.tif 000008
【図７】
2005107391.tif 000009
【図８】
2005107391.tif 000010
【図９】
2005107391.tif 000011